(57)【要約】【課題】  従来、水処理装置を使用する為には、水処理装置が使用される施設の水道管の配管を分岐し、分岐した一方の配管を水処理装置と接続する必要があった為、当該水処理装置を移動することができないという問題があった。【解決手段】  水処理装置は、外部に形成された給水口から供給された水を受け、前記水処理装置内部に流入させる流入部２１と、流入部２１から供給された水に所定の処理を施す水処理機構２４と、水処理機構２４によって所定の処理を施された水を外部に排出する排出部２２とを備えることとしている。この様な構成を有する水処理装置は、外部の給水口を流入部２１によって受けて、その後、水処理装置内部に流入させるため、水処理装置を外部の給水口と接続する必要がなくなる。【選択図】  図３
2006341209.tif 000002
【特許請求の範囲】
【請求項１】
外部に形成された給水口から供給された水を受け、前記水処理装置内部に流入させる流入手段と、
前記流入手段から供給された水に所定の処理を施す水処理手段と、
前記水処理手段によって所定の処理を施された水を外部に排出する排出手段とを備えたこと
を特徴とする水処理装置。
【請求項２】
前記水処理装置を移動させる移動手段を備えること
を特徴とする請求項１記載の水処理装置。
【請求項３】
前記水処理手段は、前記供給された水を濾過する濾過手段と、
前記濾過した水に所定の添加物を溶解する溶解手段とを備えること
を特徴とする請求項１又は請求項２記載の水処理装置。
【請求項４】
前記流入手段は、前記水処理装置表面にろうと状の受け口を有すること
を特徴とする請求項１乃至請求項３記載の水処理装置。
【請求項５】
水に所定の処理を施す水処理手段と、
前記水処理手段を内部に格納するように柱状に形成された筐体と、
水に所定の処理を施す水処理手段と、
前記筐体の外周に所定の用紙を固定する固定手段とを備えること
を特徴とする水処理装置。
【請求項６】
前記固定手段によって固定された前記用紙の外周に、光学的に透明な保護膜を巻きつけること
を特徴とする請求項５記載の水処理装置。
【請求項７】
前記水処理装置を移動させる移動手段を備えること
を特徴とする請求項５又は請求項６記載の水処理装置。
【発明の詳細な説明】
【技術分野】
【０００１】
本発明は、水処理装置に関する。
【背景技術】
【０００２】
従来、水処理装置としては、特許文献１に開示された水処理装置が知られている。
【０００３】
【特許文献１】特開２００４−２９０７１８公報
【０００４】
特許文献１には、水槽内に立設され、周壁の一部に通水口が形成された筒状体と、前記筒状体の内部における前記通水口よりも下側に設けられた濾材と、濾過時に前記水槽内の水を前記筒状体内部の前記濾材の下方に供給し、該水を前記濾材を通過させてから前記通水口を通じて前記水槽に戻す水循環手段と、逆洗時に前記水槽内の水を前記通水口を通じて前記筒状体内に導入し、該水を前記濾材を通過させて前記濾材の下方から排出する排水手段とを備えている濾過装置が開示されている。
【０００５】
特許文献１に記載された濾過装置は具体的には、濾過時に、水槽内の被処理水が濾材の下方に供給され、この被処理水は濾材の内部を上向きに流れることによって濾過される。濾過後の被処理水は、通水口を通じて筒状体から排出され、再び水槽内に戻される。水槽内に戻った被処理水は、再び筒状体内部の濾材の下方に供給され、濾材を通過することによって濾過される。このような循環動作により、水槽内の被処理水は浄化されていくこととしている。
【発明の開示】
【発明が解決しようとする課題】
【０００６】
ところで、上述した濾過装置を使用する為には、当該濾過装置が使用される施設の周壁の一部に通水口が形成されていることが必要であった。具体的には、周壁の内部の水道管を分岐し、分岐した一方の配管を濾過装置と接続する必要があった為、当該濾過装置を移動することができないという問題があった。
【０００７】
さらにこの様な濾過装置は、所定の箇所に固定して使用される物であった為、人目に付かない場所に設置されている場合が多く、特に外観について特別な処理を施される事がなかった。
【０００８】
そこで、本発明はこの様な実情に鑑みてなされたものであり、容易に移動させることができ、付近に給水設備及び排水設備があれば容易に使用することができ、さらに水処理装置を使用する施設の雰囲気等に容易に馴染むことができる水処理装置を提供することを目的とする。
【課題を解決するための手段】
【０００９】
上記課題を解決する為に、本発明に係る水処理装置は、外部に形成された給水口から供給された水を受け、前記水処理装置内部に流入させる流入手段と、前記流入手段から供給された水に所定の処理を施す水処理手段と、前記水処理手段によって所定の処理を施された水を外部に排出する排出手段とを備えたことを特徴としている。
【００１０】
この構成によれば、外部の給水口を流入手段によって受けて、その後、水処理装置内部に流入させるため、水処理装置を外部の給水口と接続する必要がなくなる。さらに、本発明にかかる水処理装置は、前記水処理装置を移動させる移動手段を備えることを特徴としている。この構成によれば、水処理装置を自由に移動させることができる。
【００１１】
さらに本発明にかかる水処理装置は、水に所定の処理を施す水処理手段と、前記水処理手段を内部に格納するように柱状に形成された筐体と、水に所定の処理を施す水処理手段と、前記筐体の外周に所定の用紙を固定する固定手段とを備えることを特徴としている。この構成によれば、筐体に用紙を固定することで、ユーザの好みに応じて水処理装置の外観を変化させることができる。
【発明の効果】
【００１２】
この様な構成を有する水処理装置は、給水口に固定されることが無い為、容易に移動させることができ、付近に給水設備及び排水設備があれば容易に使用することができる。さらに、水処理装置を使用する施設の雰囲気等に容易に馴染むことができる。
【発明を実施するための最良の形態】
【００１３】
以下、本発明に係る水処理装置の実施の形態について詳細な説明をする。本実施の形態に係る水処理装置は、例えば水道水を水処理装置内部に流入させ、流入した水に所定の処理を施し、外部に排出するものである。具体的には、水処理装置が使用される施設に予め設置されているシンクを利用する場合、まず、ユーザは水処理装置をシンク近傍まで移動させる。次に、シンクに予め設置されたシャワー等を用いて水を流入させ、流入した水に対して所定の処理を施し、所定の処理を施された水を排出する。排出部から排出された水はシンクに予め設けられた排水機構を通じて排水されるものである。
【００１４】
この様な水処理装置は図１ａ、ｂ、ｃに示す様に、内部に水処理機構を備えた筐体１と、筐体１の下部に形成され、水処理装置を移動させる移動機構２と、筐体１の上部に形成され、水処理装置の操作を行う操作部３と、操作部３に回動支持された蓋部材４と、操作部３の周囲に固定されたリング状の手摺５とによって構成されている。筐体１は、例えばステンレス等で形成されているものであり、中空部に水処理機構を備えるものである。移動機構２は、筐体１の下部に固定されており、底面に複数個のタイヤ６が形成されている。操作部３は、筐体１の上部に固定されており、ユーザが水処理装置の操作を行う為のものである。蓋部材４は、操作部３に回動支持されている部材であって、水処理装置未使用時に、後述する流入部等を視認できないようにする部材である。手摺５は、操作部３の外周に沿って形成された、ステンレス等からなる部材であり、水処理装置を移動させる為の補助具として使用するものである。
【００１５】
図２に示すように筐体１は、内部を中空とした柱状に形成されている。さらに、筐体１の外表面には所定の用紙１１が固定されている。さらに用紙１１の表面には、所定の画像が形成されている。用紙１１は、水処理装置１の製造後にユーザの手によって差し込まれたものであり、ユーザが水処理装置を利用する施設の雰囲気等に合わせて作成したものである。具体的には、水処理装置を購入したユーザのニーズや、設置施設の雰囲気や、季節感を生かした色合いや、個別のロゴ等を用紙１１上に形成する。さらに筐体１に固定された用紙１１の外表面には、光学的に透明な保護膜としての樹脂板１２が巻き付けられている。樹脂板１２は水処理装置を外力から保護する部材であり、筐体１の形状に合わせて固定することができる様、可撓性を有する素材で形成されていることが好ましい。具体的には、樹脂板１２は、光学的に透明な角柱部材を連結して１枚の薄板状に形成されることが好ましい。
【００１６】
次に、用紙１１及び樹脂板１２を固定する方法について詳細な説明をする。図２に示す様に筐体１の外周には、固定手段としての後ガイド１３及び前ガイド１４が形成されている。後ガイド１３は、内部を中空とした円柱状に形成されており、さらに筐体１に臨む位置に形成されている。前ガイド１４は、後ガイド１３の外周に、後ガイド１３とは所定の間隔を持って形成されている。後ガイド１３及び前ガイド１４は、筐体１の上部近傍と下部近傍にそれぞれ形成されている。後ガイド１３及び前ガイド１４の間には、用紙１１、樹脂板１２及び用紙１１の形状を保持する為のバックパネル１６が、バックパネル１６と樹脂板１２で用紙１１を挟み込む様に配設されている。
【００１７】
ユーザが用紙１１を交換する場合、用紙１１及び樹脂板１２を上下に形成された前ガイド１４から離脱させ、用紙１１を新たな用紙に差し替えた後、差し替えた用紙及び樹脂板１２を後ガイド１３及び前ガイド１４の間に配設する。水処理装置を例えばサロン等に設置する場合、サロン等は内装に趣向を凝らすところが少なくなく、水処理装置のデザインを画一的に決定してしまうとサロン等の内装とは掛け離れたデザインの水処理装置が店内に設置されてしまうこととなる。水処理装置１は、使用する際に顧客の目に触れるものである為、サロンの内装とは掛け離れた水処理装置が使用されると顧客は不快な思いをすることとなる。ここで、水処理装置１が設置されるサロン等の内装に合わせたデザインを用紙１１に記録することで、顧客に不快な思いをさせることがなくなる。
【００１８】
さらに水処理装置は、図３に示す様に、外部の給水口から水処理装置に水が流入される流入部２１と、水処理装置内部で所定の処理を施した水を排出する排出部２２と、水処理装置の制御を行う操作パネル２３と、水処理機構２４によって構成されている。先述の様に、水処理装置は、流入部２１から流入した水に対して水処理機構２４を用いて所定の処理を施し、排出部２２から排出するものである。流入部２１及び排出部２２は、水処理装置未使用時には蓋部材４を閉じることで外部から視認することができないものとなっている。
【００１９】
図４及び図５に示す様に流入部２１には、例えばろうと状に形成された受け口を有するものである。これによって、外部の給水口から供給された水を零すことなく水処理装置内部に流入させることができる。さらに流入部２１の底部には、タンク２４ａに水を供給することができる様に所定の管２１ａの一端が接続されている。具体的には、流入部２１の形状は、ろうと状であることが好ましい。さらに流入部２１における管２１ａに臨む位置には、比較的大きな塵を採取するストレーナーが配設されていることが好ましい。
【００２０】
排出部２２は、水処理装置内部の水処理機構によって所定の処理を施された水を外部に排出するものである。排出部２２は、後述する水処理機構と管２２ａによって接続されており、排出部２２は、水処理機構で所定の処理を施した水を管２２ａを通じて供給される。排出部２２は、一端が管２２ａに接続された、例えばホース等の蛇管によって形成されており、水処理装置の用途に応じて該蛇管の他端にシャワーヘッド等のじょうろ状の供給口を接続することが好ましい。操作パネル２３は、ユーザが水処理機構の制御を行うものであり、例えば防水処理を施した複数個のボタンを配列することで構成されている。操作パネル２３は、例えば防水処理を施されたものであり、ユーザが水処理機構２４の操作を行うものである。
【００２１】
水処理機構２４は、流入部２１から流入した水を一時的に貯水するタンク２４ａと、水処理機構２４内部の水を強制的に循環させる加圧ポンプ２４ｂと、ストレーナーによって採取することができなかった塵を採取する濾過手段としてのプレフィルター２４ｃと、流入部２１から流入した水に添加物を溶解させる溶解手段としての濾過膜２４ｄと、添加物を保管する添加物容器２４ｅとによって構成されている。この様な水処理機構２４は、タンク２４ａに貯水された水を、加圧ポンプ２４ｂを用いて強制的に循環させ、プレフィルター２４ｃを通して濾過膜２４ｄに供給する。水を供給された濾過膜２４ｄは、後述する方法で水に添加物を溶解させて、管２２ａを通じて排出部２２から水処理装置外部に排出する。
【００２２】
タンク２４ａは、例えば１０リットル程度の水を貯水することができるものであって、筺体１の内部に、例えばＬ字金具２６を用いて固定されている。また、タンク２４ａには図示せぬ水温制御手段が設けられており、これを用いて水温を制御することができる。また、タンク２４ａにはタンク２４ａ内部の水位を検知する検知手段と水位警報手段が設けられていることが好ましい。さらにタンク２４ａの下流には、水温を検知する水温検地手段及び温度警報手段が設けられていることが好ましい。加圧ポンプ２４ｂは、所定の出力を有するものであり、水処理装置内部において水を強制的に循環させるものである。プレフィルター２４ｃは、例えば３０μｍ程度のフィルターを１本設置する。
【００２３】
この様な濾過膜２４ｄ内部で添加物を水に溶解させる場合、加圧ポンプ２４ｃの圧力を用いて濾過膜２４ｄに水を供給すると共に、添加物容器２４ｅから添加物を濾過膜２４ｄに供給することによって行う。
【００２４】
この様な水処理装置は、外部の給水口と接続されておらず、又下部に移動手段としてのタイヤ６が形成されている為、容易に移動させることができ、付近に給水設備及び排水設備があれば容易に使用することができる。さらに、筐体１の外周にユーザの所望する用紙１１を固定することができる為、水処理装置を使用する施設の雰囲気等に容易に馴染むことができる。
【００２５】
尚、本発明は上述の実施例に限られるものではなく、本発明の趣旨を逸脱しない範囲で適宜変更可能であることはいうまでもない。
【図面の簡単な説明】
【００２６】
【図１ａ】本発明の実施の形態にかかる水処理装置の立面図である。
【図１ｂ】同水処理装置の立面図であり、図１ａの立面と直交する立面の図である。
【図１ｃ】同水処理装置の上面図である。
【図２】同水処理装置の要部斜視図であり、記録媒体と樹脂板の固定方法について説明する為の図である。
【図３】同水処理装置の構成を示すブロック図であり、水処理装置の構成について説明する為の図である。
【図４】同水処理装置の断面図であり、同水処理装置内における各部材の配置について説明する為の図である。
【図５】同水処理装置の断面図であり、図４に示す断面と直交する面における断面図である。
【符号の説明】
【００２７】
１  筺体
２  移動機構
１１  用紙
１２  樹脂板
２１  流入部
２２  排出部
２４  水処理機構
２４ｄ  濾過膜
【図１ａ】
2006341209.tif 000003
【図１ｂ】
2006341209.tif 000004
【図１ｃ】
2006341209.tif 000005
【図２】
2006341209.tif 000006
【図３】
2006341209.tif 000007
【図４】
2006341209.tif 000008
【図５】
2006341209.tif 000009